(57)【要約】  本発明は、天井（５）又は壁に固定するための天井又は壁部材（１０）であって、該天井又は壁部材（１０）が、底板（２ａ）を備えた、天井（５）若しくは壁に固定可能なフレーム（２）を有しており、該フレーム（２）内に加熱又は冷却調節器（９）が配置されている形式のものに関する。本発明では、フレーム（２）の底板（２ａ）と、加熱又は冷却調節器（９）との間に、フリース（３）と、穿孔された黒鉛シート（１）が配置されている。
2013516591.tif 000002
【特許請求の範囲】
【請求項１】
天井（５）又は壁に固定するための天井又は壁部材（１０）であって、該天井又は壁部材（１０）が、底板（２ａ）を備えた、天井（５）若しくは壁に固定可能なフレーム（２）を有しており、該フレーム（２）内に加熱又は冷却調節器（９）が配置されている形式のものにおいて、
フレーム（２）の底板（２ａ）と、加熱又は冷却調節器（９）との間に、フリース（３）と、穿孔された黒鉛シート（１）が配置されていることを特徴とする、天井又は壁部材。
【請求項２】
壁又は天井（５）に固定するための天井又は壁部材（１０）であって、該天井又は壁部材（１０）が、底部（２ａ）を備えた、壁若しくは天井（５）に固定可能なフレーム（２）を有している形式のものにおいて、
フレーム（２）の底部（２ａ）にフリース（３）と黒鉛シート（１）が配置されていることを特徴とする、天井又は壁部材。
【請求項３】
黒鉛シート（１）が穿孔されている、請求項１又は２記載の天井又は壁部材。
【請求項４】
黒鉛シート（１）が、膨張された黒鉛から成る、穿孔部を備えたシートである、請求項１又は２記載の天井又は壁部材。
【請求項５】
穿孔された黒鉛シート（１）が、単位面積当たり５％よりも多くの孔部分を有している、請求項３又は４記載の天井又は壁部材。
【請求項６】
フレームが、熱伝導性の材料、特に金属薄板、又は例えば石膏ボート等の黒鉛を変性した複合部材から製作されている、請求項１から５までのいずれか１項記載の天井又は壁部材。
【請求項７】
フレームが、一方の側が開いたカセット（２）として形成されている、請求項１から６までのいずれか１項記載の天井又は壁部材。
【請求項８】
穿孔された黒鉛シート（１）が、フリース（３）と強固に結合されている、請求項１から７までのいずれか１項記載の天井又は壁部材。
【請求項９】
フリース（３）が、ガラス繊維フリース又は炭素繊維フリースである、請求項１から８までのいずれか１項記載の天井又は壁部材。
【請求項１０】
フリース（３）が、穿孔された黒鉛シート（１）とカレンダ加工によって結合された炭素繊維フリースである、請求項８記載の天井又は壁部材。
【請求項１１】
加熱又は冷却調節器（９）が、固定成形部材（１１）と、該固定成形部材（１１）に固定された加熱又は冷却導管（１２）とを有している、請求項１記載の天井又は壁部材。
【請求項１２】
固定成形部材（１１）が、熱伝導性の材料、特に金属から成っている、請求項１１記載の天井又は壁部材。
【請求項１３】
穿孔された黒鉛シート（１）が、固定成形部材（１１）と熱接触している、請求項１２記載の天井又は壁部材。
【請求項１４】
加熱又は冷却調節器（９）が、膨張された黒鉛から成る軽量板（１３）を有しており、該軽量板（１３）に加熱又は冷却導管（１２）が埋め込まれている、請求項１から１１までのいずれか１項又は請求項１３記載の天井又は壁部材。
【請求項１５】
フレーム（２）の底板（２ａ）が穿孔されている、請求項１から１４までのいずれか１項記載の天井又は壁部材。
【請求項１６】
熱的に活性化可能なコンクリート壁又はコンクリート天井（５）に固定するための天井又は壁部材（１０）であって、該天井又は壁部材（１０）が、底板（２ａ）を備えた、壁若しくは天井（５）に固定可能なフレーム（２）を有している形式のものにおいて、
フレーム（２）の底板（２ａ）と、壁又は天井（５）との間に、フリース（３）と、穿孔された黒鉛シート（１）と、膨張された黒鉛から成る軽量板（１３）とが配置されていることを特徴とする、天井又は壁部材。
【請求項１７】
黒鉛シート（１）上に、膨張された黒鉛から成る軽量板（１３）が配置されている、請求項２記載の天井又は壁部材。
【請求項１８】
内部に加熱又は冷却流体を案内するための導管（７）が延在している、熱的に活性化可能なコンクリート壁又はコンクリート天井（５）において、該熱的に活性化可能なコンクリート壁又はコンクリート天井（５）の表面（１４）に、請求項１から１６までのいずれか１項記載の天井又は壁部材（１０）が相並んで配置されて固定されていることを特徴とする、熱的に活性化可能なコンクリート壁又はコンクリート天井。
【請求項１９】
天井又は壁部材（１０）が、膨張された黒鉛から成る軽量板（１３）を有しており、壁又は天井（５）の表面（１４）と、壁若しくは天井部材（１０）との間の熱的な結合が、１つの又はそれぞれの黒鉛軽量板（１３）の主要面（１５）全体にわたって全面的に形成されている、請求項１８記載の熱的に活性化可能なコンクリート壁又はコンクリート天井。
【請求項２０】
フリース（３）と、該フリース（３）に結合された黒鉛シート（１）とから成る複合材料の、天井（５）又は壁に固定するための天井又は壁部材（１０）としての使用、又は該天井又は壁部材（１０）における使用。
【請求項２１】
黒鉛シート（１）が穿孔されている、請求項２０記載の使用。
【請求項２２】
黒鉛シート（１）が、穿孔部を備えた、膨張された黒鉛から成るシートである、請求項２０又は２１記載の使用。
【請求項２３】
穿孔された黒鉛シート（１）が、単位面積当たり２０％よりも多くの孔部分を有している、請求項２０又は２１記載の使用。
【請求項２４】
フリース（３）が、ガラス繊維フリース又は炭素繊維フリースである、請求項２０から２２までのいずれか１項記載の使用。
【請求項２５】
フリース（３）が、カレンダ加工によって黒鉛シート（１）と結合された炭素繊維フリースである、請求項２０から２３までのいずれか１項記載の使用。
【発明の詳細な説明】
【技術分野】
【０００１】
本発明は、請求項１の上位概念に記載の形式の天井又は壁部材、請求項１４の上位概念に記載の形式の天井又は壁部材、並びにフリースと黒鉛シートから成る複合材料の天井又は壁部材としての使用に関する。更に本発明は、前記天井又は壁部材が固定された、熱的に活性化可能なコンクリート壁又はコンクリート天井に関する。
【０００２】
従来技術から既に公知の天井又は壁部材は、天井若しくは壁に固定可能なフレームを有しており、このフレームは底板と、フレーム内に配置された加熱又は冷却調節器とを備えている。ドイツ連邦共和国実用新案第２０２００７０１０２１５号明細書から、例えば複数の導管の形態の加熱又は冷却調節器を備えた壁又は天井ライニングが公知であり、前記導管は、熱伝導部材に固定されている。これらの熱伝導部材は、ライニングプレートによって形成されるライニング面の裏側に接触している。ライニングプレートは、Ｕ字形横断面を有する支持レールに固定されている。つまり、支持レールと、これらの支持レールに固定されたライニングプレートとは、天井又は壁に固定可能なフレームを形成しており、このフレームは、ライニングプレートによって形成される底部を備えている。熱伝導部材は、フレームの内側に配置されており、且つライニングプレートに接触している。熱伝導部材と、これらの熱伝導部材に固定された導管とは、加熱又は冷却調節器を形成する。導管とライニング面との間に良好な熱伝導接触を生ぜしめるために、細長い熱伝導部材に対して横方向に複数の保持部材が配置されており、これらの保持部材はばね張力に基づいて、相並んで位置する少なくとも２つの熱伝導部材をライニングプレートに当て付けるように保持する。
【０００３】
熱伝導部材は、その裏側にほぼ半円形の付加部を有しており、この付加部に導管が配置されている。導管には、加熱又は冷却導管としての用途に応じて、例えば温水又は冷水等の加熱又は冷却媒体が通流する。熱伝導部材は一般に金属から、例えばアルミニウムから製作されている。前記ライニングプレートは、例えば石膏ボードであってよい。
【０００４】
このような壁又は天井ライニングの場合、壁又は天井ライニングからの、部屋に対する熱又は冷気伝達の効率は極めて低い。これは、一方では相並んで配置された熱伝導部材間の中間スペースに起因する。これらの中間スペースは、絶縁層と同様に作用して、壁又は天井ライニングの部屋に面した表面にわたって均一な熱流の広がりを阻止する。他方では、加熱導管又は冷却導管からの、ライニングプレートに対する熱若しくは冷気伝達の効率が、極めて低い。なぜならば、前記ライニングプレートは粗悪な熱伝導体だからである。
【０００５】
このことから出発する本発明の課題は、冒頭で述べた形式の天井又は壁部材を改良して、加熱又は冷却調節器と、加熱又は冷却しようとする部屋との間の、より効率的な熱伝達を保証できるようにする点にある。更に、天井又は壁部材は、良好な吸音作用をも有していることが望ましい。
【０００６】
この課題は、請求項１に記載の特徴を有する天井又は壁部材によって解決される。更に前記課題は、熱的に活性化可能なコンクリート壁又はコンクリート天井が存在する場合には、請求項２に記載の特徴を有する天井又は壁部材によって解決される。これらの天井又は壁部材の有利な構成は、請求項３〜１８に記載されている。
【０００７】
内部に加熱又は冷却調節器が配置された底部を備えた、天井又は壁に固定可能なフレームを有する天井又は壁部材の場合、本発明の課題は、フレームの底部と、加熱又は冷却調節器との間に、フリースと、穿孔された黒鉛シートが配置されていることによって解決される。前記フリースは、有利には炭素繊維フリースである。但し、前記フリースはガラス繊維フリースであってもよい。炭素繊維フリースは、ガラス繊維フリースよりも高い熱伝導率を有しているが、より高価でもある。フリースは、天井又は壁部材の良好な吸音を生ぜしめる。黒鉛シートは、有利には膨張された黒鉛から成るシートであり、このシートは穿孔部を備えている。穿孔された黒鉛シートは、加熱又は冷却調節器と、天井又は壁部材の底板との間の良好な熱接触を保証する。天井又は壁部材の底部は、有利には熱伝導性の材料から、特に金属薄板、又は黒鉛を変性した石膏ボード等の黒鉛変性板から製作されている。有利には、フレームはカセットとして形成されており、この場合、少なくとも底部は孔開けされた、若しくは穿孔部の設けられた金属薄板から製作されている。底部の孔開け部若しくは穿孔部は、フレームの内部で底部に載置されたフリースに関連して、良好な吸音を保証する。
【０００８】
有利には、フリースと、このフリース上に配置された穿孔された黒鉛シートは１つの複合体であり、この複合体は、カレンダ加工によって製作され得る。このような複合体は、特に有利には炭素繊維フリースと、膨張された黒鉛から成る黒鉛シートとから製作され得る。膨張された黒鉛（いわゆる膨張黒鉛）の製作は、とりわけ米国特許第３４０４０６１号明細書から公知である。膨張された黒鉛を製作するためには、例えば黒鉛硫酸水素塩又は黒鉛硝酸塩等の黒鉛層間化合物若しくは黒鉛塩が衝撃的に加熱される。この場合に黒鉛粒子の体積は、約２００〜４００倍に増大すると同時に、嵩密度は２〜２０ｇ／ｌの値に低下する。このようにして得られた膨張黒鉛は、ワーム状若しくはアコーディオン状の複数の集合体から成っている。完全に膨張された黒鉛が、圧力の配向作用を受けて圧縮されると、黒鉛の層平面は、有利には圧力の作用方向に対して垂直に配置され、この場合、個々の集合体は互いに重なり合って噛み合う。このようにして、結合剤の添加無しで、例えばウェブ、板又は成形体等の自立型の面状の構造体が、膨張された黒鉛から製作され得る。（５０μｍ〜３ｍｍの厚さを有する）薄いシートは、膨張された黒鉛から成るウェブのプレス加工又は圧延加工により製作され得る。このようにして、膨張された黒鉛から製作されたシートを炭素繊維フリースと一緒にカレンダ加工すると、フリース表面の炭素粒子と黒鉛シートの表面の炭素粒子とが互いに噛み合って、炭素繊維フリースと黒鉛シートとの間に、解離不能な強固な結合を生ぜしめる。
【０００９】
この場合、黒鉛シートの穿孔部は、黒鉛シートのフレキシビリティーを高め、且つこれにより、シートの取扱いを容易にする。黒鉛は脆性の材料なので、膨張された黒鉛から成る薄いシートの取扱いに際しては、シートが裂断又は破断する危険が生じる。この危険は、黒鉛シートの穿孔部によって著しく低下され得る。
【００１０】
加熱又は冷却調節器は、熱伝導部材に固定可能な加熱又は冷却導管であってよい。加熱又は冷却調節器とフレームの底部との間の良好な熱接触を保証するために、前記底部は、フリースと穿孔された黒鉛シートとから成る複合体を介して熱伝導部材と熱接触している。
【００１１】
加熱又は冷却調節器は、膨張された黒鉛から成る軽量板であってもよく、この軽量板には複数の加熱又は冷却導管が埋め込まれている。この構成では、黒鉛軽量板の表面は、有利にはその主要面全体にわたって、穿孔された黒鉛シートと熱接触している。このようにして、穿孔された黒鉛シートとフリースとから成る良好な熱伝導性を有する複合体を介して、加熱又は冷却導管と、フレームの底部との間に良好な熱接触が生ぜしめられている。したがって、加熱又は冷却導管内に案内された熱（若しくは冷気）は極めて効率良く、且つ天井若しくは壁部材の表面全体にわたって均一に、この天井若しくは壁部材が配置されている室内にもたらされる。有利には、黒鉛軽量板の、黒鉛シートとは反対側の表面は、その主要面全体にわたって、壁又は天井部材が固定された壁若しくは天井の表面と熱接触している。この熱接触に基づいて、加熱又は冷却導管から到来する熱が、部分的に黒鉛軽量板を介して壁又は天井に供給され得るので、壁又は天井の素地を、後から熱供給するための熱蓄え器として使用することができる。
【００１２】
従来技術から、コンクリート天井及び／又は壁を備えた部屋の空調については、いわゆる「コンクリートコア活性化システム」が公知である。このシステムでは、加熱又は冷却媒体を案内する複数の導管が、コンクリート天井若しくはコンクリート壁の内部、下部又は上部に取り付けられる。壁若しくは天井のコンクリート素材に加熱若しくは冷却エネルギを蓄えて、この蓄えられた加熱若しくは冷却エネルギを後から供給することにより、部屋のエネルギ効率の良い空調が得られる。つまり、例えば夜間に冷却流体、例えば水等が冷却され、コンクリートコア活性化された天井又は壁に設けられた導管を介して案内されることにより、天井若しくは壁がゆっくりと冷却される。このようにしてコンクリート天井若しくはコンクリート壁に蓄えられた冷却エネルギは、次いで特に温暖な夏期の日中に、室温低下のために室内にゆっくりと供給され得る。
【００１３】
前記のように熱的に活性化可能なコンクリート天井又は壁をライニングするために、本発明が用意する天井又は壁部材は、底部を備えた、壁若しくは天井に固定可能なフレームを有しており、この場合、フレームの底部と、壁又は天井との間には、フリースと、穿孔された黒鉛シートとが配置されている。この構成では、有利には黒鉛シートと壁又は天井との間に、付加的に更に、膨張された黒鉛から成る軽量板が配置されている。
【００１４】
本発明のこの構成では、フリースは天井又は壁部材の良好な吸音を保証している。穿孔された黒鉛シート及びこの黒鉛シートと壁若しくは天井の表面との間に配置された黒鉛軽量板を介して、良好な熱接触が、熱的に活性化可能な壁若しくは天井と、フレームの底部との間で保証される。このことは、熱的に活性化可能な壁又は天井と部屋との間の効率的な熱伝達を成すものである。
【図面の簡単な説明】
【００１５】
【図１】内部に加熱又は冷却調節器が配置されたフレームを備えた、本発明による天井又は壁部材の第１実施形態を概略的に示した図である。
【図２】内部に加熱又は冷却調節器が配置されたフレームを備えた、本発明による天井又は壁部材の択一的な実施形態を概略的に示した図である。
【図３】熱的に活性化可能な天井又は壁に配置された天井又は壁部材を概略的に示した図である。
【００１６】
以下に、本発明の実施形態を図面につき詳しく説明する。
【００１７】
以下で述べる本発明の実施形態には、本発明による天井又は壁部材を、水平方向の平面内に延びる天井５に固定するために使用することが示されている。よって、その都度天井部材について言及されるが、本発明による天井又は壁部材は、垂直な壁に固定するためにも適宜使用され得る。図示の実施形態において同一の、又は対応する構成部材には、同じ符号が付されている。
【００１８】
熱的に活性化可能な、つまり加熱又は冷却可能なコンクリート天井又はコンクリート壁について言及された場合、これについては加熱媒体又は冷却媒体を案内するための複数の導管を内蔵したコンクリート天井又はコンクリート壁であると解される。前記導管は、天井又は壁の熱的な活性化に役立つ。
【００１９】
図１には、天井に固定するための本発明による天井部材１０の第１実施形態が示されており、この場合、天井部材１０は、天井５に固定可能なフレーム２を有している。
【００２０】
フレーム２は、底板２ａによって形成される底部と、この底部に配置された、又は底板２ａと一体的に形成された側壁２ｂとを有している。側壁２ｂの上縁部には、それぞれ固定用フランジ２ｃが一体成形されており、この固定用フランジ２ｃを介してフレーム２を天井に固定、特にねじ締結することができる。フレーム２は、底板２ａを取り囲むように配置された４つの側壁２ｂを備えて、有利にはカセット状に形成されている。フレーム２は有利には金属から、特に１枚の金属薄板から製作されている。底板２ａは穿孔部を有している。底板２ａの穿孔部に穿孔された複数の孔は、音波がフレーム２に進入しても、そこで減衰され得るということを保証する。
【００２１】
カセット状のフレーム２内には、加熱又は冷却調節器(Heiz- oder Kuehlregister)９が配置されている。図１に示した実施形態では、加熱又は冷却調節器９は相並んで互いに平行に配置された複数の固定成形部材１１を有しており、これらの固定成形部材１１は条片状に形成されていて、熱伝導性の材料、特に金属から製作されている。有利には、固定成形部材１１はアルミニウム成形部材である。固定成形部材１１には、加熱又は冷却導管１２（以下導管と呼ぶ）が固定されている。導管１２は、固定成形部材１１の上面に設けられた半円形の取付けクリップに突入して、例えば形状接続的又は摩擦接続的に係止され得る。但し、例えばパイプクランプ等を介した固定のような、別の固定手段も考えられる。
【００２２】
固定成形部材１１は、穿孔された黒鉛シート１に、この黒鉛シート１と熱的（熱伝導可能）に接触した状態で配置されている。有利には、各固定成形部材１１の下面が、熱伝導性の接着剤を介して黒鉛シート１に接着されている。穿孔された黒鉛シート１と底板２ａの内面との間にはフリース３が配置されている。フリース３は、ガラス繊維フリースであってよいか、又は有利には炭素繊維フリースであってよい。フリース３は、熱伝導性の接着剤によって、底板２ａの内面に接着されている。
【００２３】
有利には、フリース３と、穿孔された黒鉛シート１は、１つの複合材である。特に適しているのは、炭素繊維フリース３と、穿孔された黒鉛シート１とからカレンダ加工によって製作された複合材である。
【００２４】
黒鉛シート１は、有利には膨張された黒鉛から成る、穿孔部を備えた薄いシートである。？％〜？％の孔部分が、穿孔された黒鉛シート１の良好な取扱い性を保証し且つ黒鉛シートの破断又は裂断を阻止する。
【００２５】
図２には、フレーム２内に配置された加熱又は冷却調節器９を有する、本発明による天井又は壁部材に関する別の実施形態が示されている。図１に示した実施形態とは異なり、本実施例では加熱又は冷却調節器９が、膨張された黒鉛から成る軽量板１３によって形成されており、この軽量板１３には複数の加熱又は冷却導管１２が埋め込まれている。この場合、軽量板１３の下面は、穿孔された黒鉛シート１の上面と熱的に接触している。穿孔された黒鉛シート１と、フレーム２の底板２ａとの間には、やはりフリース、特にガラス繊維フリース又は炭素繊維フリースが配置されている。図１に示した実施形態と同様に、フリース３と、穿孔された黒鉛シート１は、有利には炭素繊維フリースと、穿孔部を備えた、膨張された黒鉛から成るシートとから成る、解離不能な１つの複合体である。黒鉛軽量板１３の上面１５と、天井５の表面１４との間のできるだけ良好な熱接触を保証するために、黒鉛軽量板１３の上面１５は熱的な接着剤４によって天井の表面１４に接着されている。
【００２６】
両実施形態において、フリースは、有利には５０μｍ〜３ｍｍの厚さを有しており、穿孔された黒鉛シートの厚さは、有利には２００μｍ〜３ｍｍである。
【００２７】
図３には、熱的に活性化可能なコンクリート天井５に固定された天井部材１０が示されている。コンクリート壁内には複数の導管７が延びており、これらの導管７を介して、天井５を熱的に活性化させるために加熱又は冷却媒体を案内することができる。天井部材１０はフレーム２を有しており、このフレーム２は、上記２つの実施形態におけるのと同様に、底板２ａと、少なくとも２つの側壁２ｂとを有している。有利には、フレーム２は上記２つの実施形態のように、１つの底板２ａと、周方向に延在する４つの側壁２ｂとを備えてカセット状に形成されている。フレーム２は、一枚の金属薄板から製作されており、底板２ａは、音波がフレーム内部に進入して、そこで吸収され得ることを保証する穿孔部を有している。
【００２８】
カセット状のフレーム２の内部には、やはり底板２ａ上に位置して、そこで有利には接着されたフリース３が配置されており、このフリース３の上には、穿孔された黒鉛シート１が配置されている。有利には、前記フリース３と穿孔された黒鉛シート１もやはり、カレンダ加工により製作された、炭素繊維フリースと、膨張された黒鉛から成るシートとの複合体である。黒鉛シート１の上には、この黒鉛シート１と面接触及び熱接触するように、膨張された黒鉛から成る軽量板１３が配置されている。
【００２９】
天井部材１０を熱的に活性化可能なコンクリート天井５に固定するためには、フレーム２が公知の方法で天井５の表面１４に、例えばねじ締結によって固定される。黒鉛軽量板１３の上面１５と、天井５の表面１４との間のできるだけ良好な熱接触を保証するために、黒鉛軽量板１３の上面１５は、熱伝導性の接着剤４によって天井の表面１４に接着されている。但し、接着剤の使用は省かれてもよい。特に、黒鉛軽量板１３の上面１５が未だ取り付けられていない状態で、該上面１５がフレーム２の側壁２ｂの上縁を超えて突出している場合には、接着剤の使用を省くことができる。つまりこの場合は、天井の表面１４にフレーム２をねじ締結する際に、圧縮可能な黒鉛から成る軽量板１３が容易に押しつぶされる。このことは、黒鉛軽量板１３の上面１５と、天井の表面１４との間の良好で全面的な熱接触を保証しており、この場合、前記押しつぶしによって、天井の表面１４における軽度の起伏も補償され得る。
【００３０】
図１から図３に示した実施形態で使用された、フリース３と、このフリース３と結合された黒鉛シート１とから成る複合材料は、支持するフレーム無しでも、天井又は壁部材１０として天井５又は壁に直接に固定され得る。この場合、前記複合材料は、熱伝導性の接着剤を介して天井５若しくは壁に接着され、この場合有利には、良好な熱伝導性を有する黒鉛シート１が、天井５若しくは壁の表面と全面的に接着され、これにより、天井若しくは壁の表面全体にわたって良好に熱を伝導する結合部が得られる。このユニットは、一方では部屋と天井若しくは壁の間での迅速な熱交換を保証し、これにより、（例えばコンクリート天井又はコンクリート壁として形成された）天井又は壁の素地が熱蓄え器として利用可能であり、この熱蓄え器から、蓄えられた熱を後から再び室内に供給することができる。他方では、複合材料のフリース３は良好な吸音を保証するので、前記複合材料から形成された天井又は壁部材１０は、吸音型の音響部材としても使用可能である。
【００３１】
図１から図３に示した実施形態において使用された、フリース３と、このフリース３に結合された黒鉛シート１とから成る複合材料の場合と同様に、黒鉛シート１は、有利には穿孔されており且つ有利には単位面積当たり５％よりも多くの孔部分を有する穿孔部を有している。フリース３は、有利にはカレンダ加工によって黒鉛シート１に結合された炭素繊維フリースである。
【図１】
2013516591.tif 000003
【図２】
2013516591.tif 000004
【図３】
2013516591.tif 000005
【国際調査報告】
2013516591.tif 000006
2013516591.tif 000007
2013516591.tif 000008
2013516591.tif 000009
2013516591.tif 000010
2013516591.tif 000011